(57)【要約】【課題】吊戸棚を用いることなくレンジフードパネルを設置することが可能なレンジフードパネル取付具を提供する。【解決手段】このレンジフードパネル取付具は、レンジフード１０のフード部１２に固定されたコーナ取付具４０、４０ａと、レンジフードパネル３０ａ、３０ｂに固定された下部取付具２０と、第１の係合取付具５０と、レ第２の係合取付具６０とによってレンジフードパネル３０ａ、３０ｂを固定し、レンジフード１０の上方空間を覆う。即ち、各取付具はレンジフード１０とレンジフードパネル３０ａ、３０ｂの側に固定されるため、外部の吊戸棚等を必要としない。これにより、吊戸棚が存在しないキッチン等でもレンジフード１０の上方空間をレンジフードパネル３０ａ、３０ｂで覆うことができる。【選択図】図１
2018204852.tif 000002
【特許請求の範囲】
【請求項１】
レンジフードのフード部の上方を覆うレンジフードパネルの取付具であって、
前記フード部の上面の４角に設置されるコーナ取付具と、
前記レンジフードパネルの下端に設置され前記コーナ取付具と固定する下部取付具と、
対向する一対の前記レンジフードパネルの内面上部の左右に設置される第１の係合取付具と、
前記第１の係合取付具と係合し少なくとも残りのレンジフードパネルの内面上部の左右に設置される第２の係合取付具と、を有し、
前記第１の係合取付具は、前記レンジフードパネルに固定されるベース面と、前記ベース面から内側に突出したフック部と、を備え、
前記第２の係合取付具は、少なくとも前記残りのレンジフードパネルに固定されるベース面と、前記ベース面から立ち上がり前記フック部が通る挿通部を備えた係合面と、前記挿通部の上部から内側に突出し前記フック部と係合する係合片と、を備えることを特徴とするレンジフードパネル取付具。
【請求項２】
挿通部が係合面に形成された孔もしくは切り欠きであることを特徴とする請求項１記載のレンジフードパネル取付具。
【請求項３】
フック部が、ベース面から略垂直に立ち上がったアーム部と、前記アーム部の先端から上方に屈曲した鉤部と、を有し、
係合片が、係合面から略垂直に立ち上がり前記アーム部と略同等寸法の保持アーム部と、前記保持アーム部の先端から上方に前記鉤部と略同一の角度で屈曲した保持鉤部と、を有することを特徴とする請求項１または請求項２に記載のレンジフードパネル取付具。
【発明の詳細な説明】
【技術分野】
【０００１】
本発明は、レンジフードの上方空間に設置するレンジフードパネルの取付具に関するものである。
【背景技術】
【０００２】
レンジフードは、ガスコンロ、ＩＨクッキングヒータ等の加熱調理器具の上方に設置され、調理等で発生する煙、臭気、熱、水蒸気等の排煙を吸引、捕集して屋外等に排出するものである。そして、一般的なレンジフードの本体部は、回転により排煙を吸引するファンと、このファンを回転させるモータとを備え、この本体部の下方には排煙を捕集するフード部が設置されている。また、フード部の上方には、本体部をユーザの目から隠蔽するための幕板等が設置される。
【０００３】
また近年、統一したデザインの化粧パネルで全体を構成したインテリア性の高いシステムキッチンが商品化されている。このようなシステムキッチンではレンジフードの上方空間も統一したデザインの化粧パネル（レンジフードパネル）で構成することが好ましい。そして、このようなシステムキッチンにおけるレンジフードパネルの固定は、下記［特許文献１］の記載にもあるように、システムキッチンの吊戸棚等に取付金具をネジ留めするとともに、これら取付金具と対応する金具をレンジフードパネル側に固定し、両者を係合して行う事が一般的である。尚、レンジフードのメンテナンスの関係上、レンジフードパネルは着脱可能とする必要がある。
【先行技術文献】
【特許文献】
【０００４】
【特許文献１】特開２００６−２３４３６１号公報
【発明の概要】
【発明が解決しようとする課題】
【０００５】
しかしながら、近年では例えばアイランド型のキッチン等、吊戸棚が存在しないシステムキッチンも存在する。このようなシステムキッチンの場合、吊戸棚を要する［特許文献１］に記載の金具ではレンジフードパネルの設置が難しいという問題点がある。また、吊戸棚側にはネジ孔を穿孔したくないという要望もあり、このような場合でも［特許文献１］に記載の金具ではレンジフードパネルの設置が難しいという問題点がある。
【０００６】
本発明は上記事情に鑑みてなされたものであり、吊戸棚を用いることなくレンジフードパネルを設置することが可能なレンジフードパネル取付具を提供することを目的とする。
【課題を解決するための手段】
【０００７】
本発明は、
（１）レンジフード１０のフード部１２の上方を覆うレンジフードパネル３０ａ、３０ｂの取付具であって、
前記フード部１２の上面の４角に設置されるコーナ取付具４０と、前記レンジフードパネル３０ａ、３０ｂの下端に設置され前記コーナ取付具４０と固定する下部取付具２０と、
対向する一対の前記レンジフードパネル３０ａの内面上部の左右に設置される第１の係合取付具５０と、前記第１の係合取付具５０と係合し少なくとも残りのレンジフードパネル３０ｂの内面上部の左右に設置される第２の係合取付具６０と、を有し、
前記第１の係合取付具５０は、前記レンジフードパネル３０ａに固定されるベース面５２と、前記ベース面５２から内側に突出したフック部５４と、を備え、
前記第２の係合取付具６０は、少なくとも前記残りのレンジフードパネル３０ｂに固定されるベース面６２と、前記ベース面６２から立ち上がり前記フック部５４が通る挿通部６８を備えた係合面６６と、前記挿通部６８の上部から内側に突出し前記フック部５４と係合する係合片６４と、を備えることを特徴とするレンジフードパネル取付具を提供することにより、上記課題を解決する。
（２）挿通部６８が係合面６６に形成された孔もしくは切り欠きであることを特徴とする上記（１）記載のレンジフードパネル取付具を提供することにより、上記課題を解決する。
（３）フック部５４が、ベース面５２から略垂直に立ち上がったアーム部５４ｂと、前記アーム部５４ｂの先端から上方に屈曲した鉤部５４ａと、を有し、
係合片６４が、係合面６６から略垂直に立ち上がり前記アーム部５４ｂと略同等寸法の保持アーム部６４ｂと、前記保持アーム部６４ｂの先端から上方に前記鉤部５４ａと略同一の角度で屈曲した保持鉤部６４ａと、を有することを特徴とする上記（１）または（２）に記載のレンジフードパネル取付具を提供することにより、上記課題を解決する。
【発明の効果】
【０００８】
本発明に係るレンジフードパネル取付具は、レンジフードとレンジフードパネルの側に設置してレンジフードパネルを保持するため外部の吊戸棚等を必要としない。これにより、吊戸棚が存在しないキッチン等でもレンジフードの上方空間をレンジフードパネルで覆うことができる。また、吊戸棚側にネジ孔を形成することなく、レンジフードパネルを設置することができる。
【図面の簡単な説明】
【０００９】
【図１】本発明に係るレンジフードパネル取付具（３面）の使用状態を示す図である。
【図２】本発明に係るレンジフードパネル取付具（４面）の使用状態を示す図である。
【図３】本発明を構成するコーナ取付具を示す図である。
【図４】本発明を構成する下部取付具を示す図である。
【図５】本発明を構成する第１の係合取付具、第２の係合取付具を示す図である。
【図６】本発明を構成する第２の係合取付具の他の例を示す図である。
【図７】本発明を構成する第１の係合取付具、第２の係合取付具の係合状態を説明する図である。
【発明を実施するための形態】
【００１０】
本発明に係るレンジフードパネル取付具の実施の形態について図面に基づいて説明する。ここで、図１、図２は本発明に係るレンジフードパネル取付具の使用状態を示す図である。先ず、一般的なレンジフード１０は、フード部１２の上に本体部１４が位置し、この本体部１４内には、回転により排煙を吸引するファン、このファンを回転させるモータ、その他のレンジフード１０の構成部材が収容されている。また、本体部１４には排気ダクト（図示せず）が接続し、レンジフード１０で捕集した排煙をこの排気ダクトを介して屋外等に排出する。そして、本発明に係るレンジフードパネル取付具は、フード部１２の上方にレンジフードパネル３０ａ、３０ｂを設置するためのものであり、フード部１２の上面の４角に設置されるコーナ取付具４０、４０ａと、レンジフードパネル３０ａ、３０ｂの下端に設置される下部取付具２０と、対向する一対のレンジフードパネル３０ａの内面上部の左右に設置される第１の係合取付具５０と、この第１の係合取付具５０と係合し少なくとも残りのレンジフードパネル３０ｂの内面上部の左右に設置される第２の係合取付具６０と、を有している。尚、図１はレンジフード１０の一面が壁面Ｆに接しレンジフードパネル３０ａ、３０ｂがレンジフード１０の上方空間の残りの３方を閉塞する例を示している。この場合、レンジフードパネルは対向する一対のレンジフードパネル３０ａと、壁面Ｆと対向する１枚のレンジフードパネル３０ｂとで構成され、第２の係合取付具６０はレンジフードパネル３０ｂと壁面Ｆとに設置される。また、図２はレンジフード１０が天井等に固定され、レンジフードパネル３０ａ、３０ｂがレンジフード１０の上方空間の４方を閉塞する例を示している。この場合、レンジフードパネルは対向する２対のレンジフードパネル３０ａ、３０ｂによって構成され、第２の係合取付具６０は対向する２枚のレンジフードパネル３０ｂに設置される。尚、上方空間の４方をレンジフードパネル３０ａ、３０ｂで閉塞する場合、ユーザが立つ正面側を（第１の係合取付具５０が固定する）レンジフードパネル３０ａとすることが好ましい。
【００１１】
次に、本発明を構成するコーナ取付具４０、４０ａに関して図３を用いて説明する。ここで、図３（ｂ）は一辺が壁面Ｆに面する角に設置するコーナ取付具４０ａを示し、図３（ａ）は隣り合う２辺にレンジフードパネル３０ａ、３０ｂを設置するコーナ取付具４０を示す。
【００１２】
本発明を構成するコーナ取付具４０、４０ａは、フード部１２の上面に固定されるベース面４２と、レンジフードパネル３０ａ、３０ｂが下部取付具２０を介して固定する固定面４４と、この固定面４４に形成されたネジ孔４４ａと、を有している。そして、２辺にレンジフードパネル３０ａ、３０ｂを設置するコーナ取付具４０は、２つのベース面４２と固定面４４とが略直角に交わった上面視で略Ｌ字形状を呈する。尚、図１、図２に示すように、フード部１２の上面が段差を有する場合、この段差に沿うように屈曲した接続部４６を介してベース面４２と固定面４４とを設けることが好ましい。また、固定面４４はレンジフードパネル３０ａ、３０ｂの厚み等を考慮して、フード部１２の外側面とレンジフードパネル３０ａ、３０ｂの外面とが面一となる位置に設計することが好ましい。尚、コーナ取付具４０、４０ａはそれぞれ別に形成しても良いが、コーナ取付具４０の対称軸に沿って分割スリット４８を設け、コーナ取付具４０をこの分割スリット４８に沿って２つに切断することで左右一組のコーナ取付具４０ａを得ることが好ましい。この構成によれば、コーナ取付具４０ａを個別に製造する必要が無く、部材コスト及び製造コストの削減を図ることができる。
【００１３】
次に、本発明を構成する下部取付具２０を図４を用いて説明する。本発明を構成する下部取付具２０は、レンジフードパネル３０ａ、３０ｂの下辺に沿ってビス等で固定されるベース面２２と、このベース面２２から下方に延びた固定面２４と、この固定面２４の両端近傍に設けられコーナ取付具４０、４０ａに固定するためのネジ孔２４ａと、を有している。尚、ネジ孔２４ａは、コーナ取付具４０への設置時にレンジフードパネル３０ａ、３０ｂの左右方向への位置調整が可能となるよう長孔とすることが好ましい。また、固定面２４には必要に応じて通気孔２８を設けても良い。またさらに、下部取付具２０にはベース面２２から略垂直に立ち上がったパネル保持部２６を設け、このパネル保持部２６には例えば不燃材等を介してレンジフードパネル３０ａ、３０ｂの下端面を保持することが好ましい。
【００１４】
次に、本発明を構成する第１の係合取付具５０、第２の係合取付具６０を図５、図６を用いて説明する。ここで、図５は挿通部６８が切り欠きで構成された第２の係合取付具６０の例を示し、図６は挿通部６８が略四角形の孔で構成された第２の係合取付具６０の例を示している。尚、挿通部６８を孔で構成した場合、係合片６４は挿通部６８の両側で支持されるため、その分、耐荷重の向上を図ることができる。
【００１５】
そして、本発明を構成する第１の係合取付具５０は、図５、図６に示すように、レンジフードパネル３０ａにビス等で固定されるベース面５２と、このベース面５２から内側、即ち、レンジフード１０の上方空間側に突出したフック部５４と、を有している。また、フック部５４は、ベース面５２から略垂直に立ち上がったアーム部５４ｂと、このアーム部５４ｂの先端から上方に所定の角度で屈曲した鉤部５４ａと、を有している。尚、アーム部５４ｂの長さには特に限定は無いが１５ｍｍ〜３０ｍｍ程度が好ましい。また、鉤部５４ａの長さは１５ｍｍ前後が好ましく、また鉤部５４ａの角度はアーム部５４ｂとのなす角が１００°〜１３０°程度とすることが好ましい。
【００１６】
また、第２の係合取付具６０は、壁面Ｆもしくはレンジフードパネル３０ｂにビス等で固定されるベース面６２と、このベース面６２から略９０°に立ち上がった係合面６６と、この係合面６６に形成され第１の係合取付具５０のフック部５４が通る挿通部６８と、この挿通部６８の上部から内側に突出し第１の係合取付具５０のフック部５４と係合する係合片６４と、を有している。また、係合片６４は、係合面６６から略垂直に立ち上がった保持アーム部６４ｂと、この保持アーム部６４ｂの先端から上方に第１の係合取付具５０の鉤部５４ａの角度と略同一の角度で屈曲した保持鉤部６４ａと、を有している。そして、保持アーム部６４ｂの長さは、図７に示すように第１の係合取付具５０のアーム部５４ｂと略同等の寸法とすることが好ましい。このとき、第２の係合取付具６０の保持鉤部６４ａは前述のように第１の係合取付具５０の鉤部５４ａの角度と略同一の角度で屈曲しているから、この構成では第１の係合取付具５０のアーム部５４ｂ・鉤部５４ａの内面に、第２の係合取付具６０の保持アーム部６４ｂ・保持鉤部６４ａの外面がそれぞれ当接して係合する。これにより、レンジフードパネル３０ｂによってレンジフードパネル３０ａの上側を保持することができる。
【００１７】
また、本発明に係るレンジフードパネル取付具は、必要に応じて補助金具７０を備えていても良い。この補助金具７０はＬ字状のプレートであり、図１、図２に示すように、レンジフードパネル３０ｂの一方の側辺に沿って設置され、レンジフードパネル３０ａ、３０ｂ同士を固定する。この構成によれば、レンジフードパネル３０ａ、３０ｂをさらに高い強度で固定することができる。尚、補助金具７０は対向する２枚のレンジフードパネル３０ａのうち一方のレンジフードパネル３０ａのみを固定し、他方のレンジフードパネル３０ａには使用しない。これにより、補助金具７０を用いてもレンジフードパネル３０ａ、３０ｂの着脱が可能となる。
【００１８】
次に、本発明に係るレンジフードパネル取付具の設置方法を説明する。先ず、レンジフード１０のフード部１２の上面の４角の所定の位置にコーナ取付具４０のベース面４２をネジ等で固定する。尚、フード部１２の一面が壁面Ｆに接する場合には、壁面Ｆ側の角にはコーナ取付具４０ａを固定する。そして、屋内の所定の位置にレンジフード１０を周知の方法によって取付ける。
【００１９】
これと前後して、レンジフードパネル３０ａ、３０ｂの下端部に下部取付具２０のベース面２２をビス等で固定する。また、レンジフードパネル３０ａの内面上部の左右の所定の位置に第１の係合取付具５０のベース面５２をビス等で固定する。また、４方をレンジフードパネル３０ａ、３０ｂで閉塞する場合、２枚のレンジフードパネル３０ｂの内面上部の左右の所定の位置に第２の係合取付具６０のベース面６２をビス等で固定する。また、レンジフード１０の一面が壁面Ｆに接しレンジフードパネル３０ａ、３０ｂがレンジフード１０の上方空間の残りの３方を閉塞する場合、１枚のレンジフードパネル３０ｂと壁面Ｆの所定の位置に第２の係合取付具６０のベース面６２をビス等で固定する。さらに、補助金具７０を用いる場合には、補助金具７０をレンジフードパネル３０ｂの側辺に沿ってビス等で固定する。尚、第１の係合取付具５０はレンジフードパネル３０ｂの厚み分内側に取り付け、レンジフードパネル３０ｂの表面とレンジフードパネル３０ａの側面とが略面一となるように構成することが外観上好ましい。
【００２０】
次に、レンジフードパネル３０ｂの下部取付具２０の固定面２４とコーナ取付具４０の固定面４４とを、ネジ孔２４ａ、４４ａを用いてネジ留めする。これにより、フード部１２にレンジフードパネル３０ｂが固定される。
【００２１】
次に、一方のレンジフードパネル３０ａの左右の第１の係合取付具５０のフック部５４を、レンジフードパネル３０ｂもしくは壁面Ｆの第２の係合取付具６０の挿通部６８に挿入し、それぞれの係合片６４に引掛ける。これにより、レンジフードパネル３０ａの第１の係合取付具５０と第２の係合取付具６０とが係合し、レンジフードパネル３０ａの上部がレンジフードパネル３０ｂもしくは壁面Ｆによって保持される。この状態で、レンジフードパネル３０ａの下部取付具２０の固定面２４とコーナ取付具４０、４０ａの固定面４４とをネジ孔２４ａ、４４ａを用いてネジ留めする。
【００２２】
次に、補助金具７０がレンジフードパネル３０ｂに固定されている場合には、レンジフードパネル３０ａの内面と補助金具７０とをビス等で固定する。
【００２３】
次に、他方のレンジフードパネル３０ａの左右の第１の係合取付具５０のフック部５４を、レンジフードパネル３０ｂもしくは壁面Ｆの他方の第２の係合取付具６０の挿通部６８に挿入し、それぞれの係合片６４に引掛ける。そして、この状態で他方のレンジフードパネル３０ａの下部取付具２０の固定面２４とコーナ取付具４０、４０ａの固定面４４とをネジ孔２４ａ、４４ａを用いてネジ留めする。これにより、フード部１２にレンジフードパネル３０ａが固定され、フード部１２の上方空間はレンジフードパネル３０ａ、３０ｂによって覆われる。
【００２４】
以上のように、本発明に係るレンジフードパネル取付具は、レンジフード１０のフード部１２に固定されたコーナ取付具４０、４０ａと、レンジフードパネル３０ａ、３０ｂの下端に固定された下部取付具２０と、レンジフードパネル３０ａの内面上部の左右に固定された第１の係合取付具５０と、レンジフードパネル３０ｂの内面上部の左右（及び壁面Ｆ）に固定された第２の係合取付具６０とによってレンジフードパネル３０ａ、３０ｂを固定し、レンジフード１０の上方空間を覆う。即ち、各取付具はレンジフード１０とレンジフードパネル３０ａ、３０ｂの側に固定されるため、外部の吊戸棚等を必要としない。これにより、吊戸棚が存在しないキッチン等でもレンジフード１０の上方空間をレンジフードパネル３０ａ、３０ｂで覆うことができる。また、吊戸棚側にネジ孔を形成することなく、レンジフードパネル３０ａ、３０ｂを設置することができる。そして、優れたデザインのレンジフードパネル３０ａ、３０ｂを用いることで、美観に優れたレンジフード１０を得ることができる。また、キッチンと統一されたデザインのレンジフードパネル３０ａ、３０ｂを用いることで、レンジフード１０の上方を含めた統一的なデザインのシステムキッチンを構築することができる。
【００２５】
尚、本例で示したレンジフードパネル取付具の各部の構成、形状、デザイン、寸法等は一例であり上記の例に限定されるわけでは無く、本発明は本発明の要旨を逸脱しない範囲で変更して実施することが可能である。
【符号の説明】
【００２６】
１０    レンジフード
１２    フード部
２０    下部取付具
３０ａ、３０ｂ  レンジフードパネル
４０    コーナ取付具
５０    第１の係合取付具
５２    ベース面
５４    フック部
５４ａ  鉤部
５４ｂ  アーム部
６０    第２の係合取付具
６２    ベース面
６４    係合片
６４ａ  保持鉤部
６４ｂ  保持アーム部
６６    係合面
６８    挿通部
【図１】
2018204852.tif 000003
【図２】
2018204852.tif 000004
【図３】
2018204852.tif 000005
【図４】
2018204852.tif 000006
【図５】
2018204852.tif 000007
【図６】
2018204852.tif 000008
【図７】
2018204852.tif 000009